(57)【要約】【課題】吊金工法で電線の張り替え作業を行う際に、親線をがいし連ヨークの前端縁の中央部で支持し、がいし連に偏った荷重を与えない電線の張り替え工法を提供する。【解決手段】がいし連ヨーク４に、がいし連ヨーク４の両側と前端縁の中央部から一部を突出させて工事用ヨークａ、ｂを取り付け、電線に吊金車を取り付け、工事用ヨークａ、ｂの両側にセミ金車７を取り付け、セミ金車７のワイヤ９の一端で電線を引っ張って支持し、電線をがいし連ヨーク４から離し、離した一方の電線の前端を、工事用ヨークａ、ｂの前端縁の各突出部１ｃで支持し、電線の各ワイヤ９による支持を解除し、離した他方の電線を一方の電線の下に垂らし、工事用ヨークａ、ｂの前端縁の各突出部１ｃで支持した一方の電線を吊金工法の親線として他方の電線を引っ張って当該電線を取り除くと共に他方の電線の後端に接続された新線を延線する。                              【選択図】図９
2008113527.tif 000002
【特許請求の範囲】
【請求項１】
鉄塔間に張架された電線を張り替える際に行われる多数の吊金車を利用した張り替え工法において、
後端縁に２条のがいし連を取り付け、前端縁に２条の既設の電線を取り付けた四角形状のがいし連ヨーク上に、当該がいし連ヨークの両側及び前端縁の中央部から一部を夫々突出させて工事用ヨークを取り付け、また、上記２条の既設の電線に吊金車を多数間隔を空けて夫々取り付け、
当該各工事用ヨークの両側の突出部にセミ金車を夫々取り付け、当該各セミ金車に巻き付けた線状体の一端で上記２条の電線を夫々引っ張って仮支持し、当該仮支持した２条の電線を上記がいし連ヨークから夫々切り離し、当該切り離した一方の電線の前端を、上記工事用ヨークの前端縁の突出部に取り付けて支持し、当該２条の電線の上記各線状体による仮支持を夫々解除し、上記切り離した他方の電線を一方の電線の下方に沿って垂下させ、上記工事用ヨークの前端縁の突出部で支持した一方の電線を上記吊金工法の親線として上記多数の吊金車を通して他方の電線を引っ張って当該電線を取り除くと共に当該他方の電線の後端に接続された新線を延線し、その後、上記各セミ金車に巻きつけた各線状体によって当該新線及び上記一方の電線を夫々仮支持し、
当該一方の電線の前端を当該各工事用ヨークの前端縁の突出部から外し、上記新線の前端を当該工事用ヨークの前端縁の突出部に取り付けて支持し、その後、上記各線状体による当該一方の電線及び新線の仮支持を夫々解除し、当該一方の電線を当該新線の下方に沿って垂下させ、
当該新線を新たな親線として上記一方の電線を上記多数の吊金車を通して引っ張って当該電線を取り除くと共に当該電線の後端に接続された新線を延線し、その後、上記各セミ金車に巻き付けた各線状体によって当該親線及び当該新線を夫々仮支持し、当該新線の前端をがいし連ヨークに取り付けて支持し、上記親線である新線の前端を上記工事用ヨークの前端縁の突出部から外し、さらに、当該新線の前端をがいし連ヨークに取り付けて支持し、
さらに、上記各セミ金車に巻き付けた各線状体による当該各新線の仮支持を夫々解除することを特徴とする、電線の張り替え工法。
【請求項２】
上記請求項１に記載の電線の張り替え工法において、
略Ｌ型の２枚の板体を相対向させて設け、当該２枚の板体の略Ｌ型の上部の各先端縁の間に横長の引き留め金具を取り付けて当該相対向する先端縁を連結固定し、当該略Ｌ型の屈曲した右側の相対向する先端突出部を開放した工事用ヨークを設け、
上記電線の張り替え工法において、２条のがいし連が取り付けられた既設の四角形状のがいし連ヨークの一側を上記工事用ヨークの開放した各先端突出部によって挟んで上記引き留め金具を取り付けた各先端縁を当該がいし連ヨークの一側から突出させ、また、当該工事用ヨークの各先端突出部を上記がいし連ヨークの前端縁から夫々突出させて当該がいし連ヨークに当該工事用ヨークを被せて取り付け、当該がいし連ヨークの他側にも同様にして他の同様の工事用ヨークを取り付け、
当該各工事用ヨークに取り付けた各引き留め金具の、既設の電線が位置する側の引き止め部に上記セミ金車を夫々取り付け、また、上記親線の前端を上記がいし連ヨークの前端縁の中央部であって当該前端縁から突出した上記各工事用ヨークの各先端突出部に取り付けて支持することを特徴とする、上記請求項１に記載の電線張り替え工法において使用する工事用ヨーク。
【発明の詳細な説明】
【技術分野】
【０００１】
この発明は、二つの鉄塔間に張架された既設の２条の電線を新設の電線に張り替える際に採用する、多数の吊金車を使用した吊金工法における、電線の張り替え工法及び当該張り替え工法において使用する工事用ヨークに関するものである。
【背景技術】
【０００２】
各鉄塔によって、数多くの電線が張架されており、図１１に示すように、これらの電線Ｃは、各鉄塔Ｅの腕金ｅにおいて、がいし連６及びがいし連ヨーク４を介して張架されている。この様な電線Ｃの張り替え工事を行う際に、これらの電線Ｃの下に足場を構築出来ない場合には、吊金工法が採用されている。この吊金工法は、鉄塔Ｅ間に張られた電線Ｃやワイヤ等の支線に、ロープの両端に金車を有する多数の吊金車を間隔をあけて吊り下げて、これらの吊金車に電線Ｃ等を通して、電線Ｃの張り替え、延線を行う工法である。
【０００３】
この様なものとして、当該がいし連ヨークにおいて、２条の既設の電線の間で、セミ金車を２個懸架して上記既設の電線を仮留めし、その後、既設の電線が取り付けられていた個所にバーニア金具を設け、このバーニア金具に既設の電線を取り付け、また、上記セミ金車を移してこのバーニア金具に取り付け、この後、一方の電線をがいし連ヨークの中央部に引き留めて、上記吊金工法を使用して、電線を張り替える方法がある。
【０００４】
また、他の例として、がいし連ヨークの前方に仮設配列ヨークを回転自在に設け、２条の電線端の支持部を上記がいし連ヨークから上記仮設配列ヨークに移し、当該仮設配列ヨークを回転させて垂直にし、この状態で下部の電線の端部の支持部を仮設配列ヨークから外し、上部に位置する電線を親線として、これらの電線の間に間隔をあけて配置した多数の吊金車で下部の電線を支持しながら、下部の電線を引き抜き、これと同時に当該下部の電線の他端に予め接続した新線を延線する工法がある。
【特許文献１】特開２００５−２９５６８１号公報
【発明の開示】
【発明が解決しようとする課題】
【０００５】
しかしながら、上記前者の工法では、既設の電線の仮留めを何回も移し変えなければならず、手間が多い。また、二組のセミ金車相互が近接して接触し、破損する恐れがある。また、後者の工法では、上記仮設配列ヨークを、がいし連ヨークを基にして垂直に回転させ、下部の電線を引っ張る際、上部の電線を親線としているため、この上部の電線に張力がかかり、前方に引っ張られ、これによりがいし連の各がいしが前方に倒れてしまう。その際、隣接するがいし同士がぶつかって破損してしまうおそれがある。そこで、当該垂直に設けられた上記仮設配列ヨークの上部を、電線を引っ張る側ではない反対の鉄塔の腕金からワイヤで引っ張るなどの処置をとることが考えられるが、この作業には、手間と時間がかかり、さらに、この仮設配列ヨークを回転させる時は当該ワイヤを外して回転させなければならない。また、この様なワイヤを取り付けたり、また、外したりする作業は極めて煩雑になる。
【０００６】
そこで、この発明は、上記吊金工法により、２条の電線を張り替える作業を行う際に、親線となる電線をがいし連ヨークの前端縁の中央部で支持し、がいし連等にねじり等の偏った荷重を与えないで安全に張り替えが出来る、電線の張り替え工法及び当該張り替え工法において使用する工事用ヨークを提供するものである。
【課題を解決するための手段】
【０００７】
請求項１の発明は、鉄塔間に張架された電線を張り替える際に行われる多数の吊金車を利用した張り替え工法において、後端縁に２条のがいし連を取り付け、前端縁に２条の既設の電線を取り付けた四角形状のがいし連ヨーク上に、当該がいし連ヨークの両側及び前端縁の中央部から一部を夫々突出させて工事用ヨークを取り付け、また、上記２条の既設の電線に吊金車を多数間隔を空けて夫々取り付け、当該各工事用ヨークの両側の突出部にセミ金車を夫々取り付け、当該各セミ金車に巻き付けた線状体の一端で上記２条の電線を夫々引っ張って仮支持する。
【０００８】
当該仮支持した２条の電線を上記がいし連ヨークから夫々切り離し、当該切り離した一方の電線の前端を、上記工事用ヨークの前端縁の突出部に取り付けて支持し、当該２条の電線の上記各線状体による仮支持を夫々解除し、上記切り離した他方の電線を一方の電線の下方に沿って垂下させ、上記工事用ヨークの前端縁の突出部で支持した一方の電線を上記吊金工法の親線として上記多数の吊金車を通して他方の電線を引っ張って当該電線を取り除くと共に当該他方の電線の後端に接続された新線を延線し、その後、上記各セミ金車に巻きつけた各線状体によって当該新線及び上記一方の電線を夫々仮支持する。
【０００９】
当該一方の電線の前端を当該各工事用ヨークの前端縁の突出部から外し、上記新線の前端を当該工事用ヨークの前端縁の突出部に取り付けて支持し、その後、上記各線状体による当該一方の電線及び新線の仮支持を夫々解除し、当該一方の電線を当該新線の下方に沿って垂下させ、当該新線を新たな親線として上記一方の電線を上記多数の吊金車を通して引っ張って当該電線を取り除くと共に当該電線の後端に接続された新線を延線し、その後、上記各セミ金車に巻き付けた各線状体によって当該親線及び当該新線を夫々仮支持し、当該新線の前端をがいし連ヨークに取り付けて支持し、上記親線である新線の前端を上記工事用ヨークの前端縁の突出部から外し、さらに、当該新線の前端をがいし連ヨークに取り付けて支持し、さらに、上記各セミ金車に巻き付けた各線状体による当該各新線の仮支持を夫々解除する電線の張り替え工法とした。
【００１０】
請求項２の発明は、上記請求項１に記載の電線の張り替え工法において、略Ｌ型の２枚の板体を相対向させて設け、当該２枚の板体の略Ｌ型の上部の各先端縁の間に横長の引き留め金具を取り付けて当該相対向する先端縁を連結固定し、当該略Ｌ型の屈曲した右側の相対向する先端突出部を開放した工事用ヨークを設ける。
【００１１】
上記電線の張り替え工法において、２条のがいし連が取り付けられた既設の四角形状のがいし連ヨークの一側を上記工事用ヨークの開放した各先端突出部によって挟んで上記引き留め金具を取り付けた各先端縁を当該がいし連ヨークの一側から突出させ、また、当該工事用ヨークの各先端突出部を上記がいし連ヨークの前端縁から夫々突出させて当該がいし連ヨークに当該工事用ヨークを被せて取り付け、当該がいし連ヨークの他側にも同様にして他の同様の工事用ヨークを取り付ける。
【００１２】
当該各工事用ヨークに取り付けた各引き留め金具の、既設の電線が位置する側の引き止め部に上記セミ金車を夫々取り付け、また、上記親線の前端を上記がいし連ヨークの前端縁の中央部であって当該前端縁から突出した上記各工事用ヨークの各先端突出部に取り付けて支持する上記請求項１に記載の電線張り替え工法において使用する工事用ヨークとした。
【発明の効果】
【００１３】
請求項１の発明によれば、既設のがいし連ヨークに簡単に取り付けることが出来る工事用ヨークを使用して、既設のがいし連ヨークの両側に、一部を突出させて工事用ヨークを夫々取り付け、既設の２条の電線をがいし連ヨークの外側で仮支持するようにしたので、従来の作業のような煩雑な電線の移し変えを行うことがなく、また、吊金工法における親線をがいし連ヨークの前端縁の中央部で支持しているため、２条の各電線にがいし連を架けた状態で、電線の張り替え工事を容易に、かつ短時間で行うことが出来る。また、２条の電線を回転させたりすることがないため、親線にかかる余計な張力を抑えることが出来るので、がいし連の各がいしが前方に倒れるなどして破損することがない。
【００１４】
また、既設のがいし連ヨークの両側に、一部を突出させて工事用ヨークを夫々取り付け、既設の２条の電線を仮支持するセミ金車を夫々がいし連ヨークの外側に離して設けたので、各電線の耐張クランプと各セミ金車との間隔を大きく取ることが出来、これらの接触による破損を防ぐことが出来、また、各セミ金車ががいし連ヨークの左右の外側に位置するため、これらが相互に接触することもなく、破損することが無い。さらに、充分な空間が得られるので作業性も向上する。
【００１５】
また、請求項２の発明によれば、簡単な構成のため、既設のがいし連ヨークに簡単に取り付けることが出来、また、工事用ヨークとして、左右に分割しているので、１個の工事用ヨークとしての重量を軽減することが出来、持ち運びに便利であり、特に、高所に引き上げる際には扱い易いものである。
【発明を実施するための最良の形態】
【００１６】
鉄塔間に張架された電線を張り替える際に行われる多数の吊金車を利用した張り替え工法において、後端縁に２条のがいし連を取り付け、前端縁に２条の既設の電線を取り付けた四角形状のがいし連ヨーク上に、当該がいし連ヨークの両側及び前端縁の中央部から一部を夫々突出させて工事用ヨークを取り付け、また、上記２条の既設の電線に吊金車を多数間隔を空けて夫々取り付け、当該各工事用ヨークの両側の突出部にセミ金車を夫々取り付け、当該各セミ金車に巻き付けた線状体の一端で上記２条の電線を夫々引っ張って仮支持し、当該仮支持した２条の電線を上記がいし連ヨークから夫々切り離し、当該切り離した一方の電線の前端を、上記工事用ヨークの前端縁の突出部に取り付けて支持する。
【００１７】
当該２条の電線の上記各線状体による仮支持を夫々解除し、上記切り離した他方の電線を一方の電線の下方に沿って垂下させ、上記工事用ヨークの前端縁の突出部で支持した一方の電線を上記吊金工法の親線として上記多数の吊金車を通して他方の電線を引っ張って当該電線を取り除くと共に当該他方の電線の後端に接続された新線を延線し、その後、上記各セミ金車に巻きつけた各線状体によって当該新線及び上記一方の電線を夫々仮支持し、当該一方の電線の前端を当該各工事用ヨークの前端縁の突出部から外し、上記新線の前端を当該工事用ヨークの前端縁の突出部に取り付けて支持する。
【００１８】
その後、上記各線状体による当該一方の電線及び新線の仮支持を夫々解除し、当該一方の電線を当該新線の下方に沿って垂下させ、当該新線を新たな親線として上記一方の電線を上記多数の吊金車を通して引っ張って当該電線を取り除くと共に当該電線の後端に接続された新線を延線し、その後、上記各セミ金車に巻き付けた各線状体によって当該親線及び当該新線を夫々仮支持し、当該新線の前端をがいし連ヨークに取り付けて支持し、上記親線である新線の前端を上記工事用ヨークの前端縁の突出部から外し、さらに、当該新線の前端をがいし連ヨークに取り付けて支持し、さらに、上記各セミ金車に巻き付けた各線状体による当該各新線の仮支持を夫々解除する。
【００１９】
これらにより、既設のがいし連ヨークに工事用ヨークを取り付け、吊金工法における親線をがいし連ヨークの中央部で支持しているため、２条の各電線にがいし連を架けた状態で、電線の張り替え工事を容易に、かつ短時間で行うことが出来る。
【実施例１】
【００２０】
以下、この発明の実施例を図に基づいて説明する。
ここで、図１は、この発明の実施例の右側工事用ヨークの斜視図であり、図２は、同右側工事用ヨークの上板の平面図であり、図３は、同右側工事用ヨークの下板の平面図であり、図４は、同工事用ヨークの引き留め金具の平面図である。
【００２１】
この工事用ヨークＡは、上記図１に示すように、略Ｌ型の２枚の板体を相対向させて設け、これらの２枚の板体の各先端縁の間に横長の引き留め金具３を取り付けて当該略Ｌ型の相対向する先端縁を連結し、当該略Ｌ型の右側の相対向する先端突出部１ｃを開放させて成るものである。
【００２２】
これら２枚の板体は、上板１と下板２であり、ほとんど同様の構成であるが、一部の構成が異なる。上板１は、上記図２に示すように、略Ｌ型の上部の先端縁に２個の貫通孔１ａを並設し、当該上板１の屈曲部を略四角形状に設け、これらの屈曲部に、後述するがいし連ヨークの既設の４個の貫通孔の位置と同様の配置で貫通孔１ｂを４個設けており、先端突出部１ｃに１個の貫通孔１ｄを設けている。上記下板２は、上記図３に示すように、この先端突出部１ｃを設けていない構成となっている。
【００２３】
上記引き留め金具３は、上記図４に示すように、略横長台形状であって、左右側部に夫々貫通孔３ａを設け、また、これらの貫通孔３ａの間にも２個の貫通孔３ｂを並設している。この様な、引き留め金具３を、上記図１に示すように、上記相対向して設けた上板１と下板２の各先端縁の間に、当該先端縁に沿って、この引き留め金具３を嵌め入れ、上記左右側部の各貫通孔３ａを当該相対向して設けた各先端縁の両側から突出させた状態にし、この引き留め金具３の２個の貫通孔３ｂと上記各先端縁の２個の貫通孔１ａ及び２ａの位置とを合わせて、これらにボルトを夫々嵌め入れ、下板２側からナットを緩く締めて仮留めする（図示省略）。上記図１に示すのは、右側工事用ヨークａであり、この右側工事用ヨークａと対象の構成のものを左側工事用ヨークｂとして形成し用意しておく（図６参照）。
【００２４】
次に、二つの鉄塔Ｅ間に張架された既設の２条の電線Ｃを新設の電線に張り替える、多数の吊金車を使用した吊金工法において、これらの工事用ヨークＡを使用して、２条の電線Ｃを張り替える。
【００２５】
ここで、図５は、この発明の実施例の工事用ヨークＡを取り付ける長方形状のがいし連ヨーク４であって、その前端縁に２条の既設の電線Ｃを耐張クランプ５を介して夫々取り付け、また、後端縁に２条のがいし連６を取り付けた状態の平面図であり、図６は、同がいし連ヨーク４に左右側の工事用ヨークａ、ｂを取り付けた状態の平面図であり、図７は、同がいし連ヨーク４に左右側の工事用ヨークａ、ｂを取り付け、さらに、左右の引き留め金具３にセミ金車７を夫々取り付けて２条の電線Ｃを仮支持している状態の一部平面図である。
【００２６】
また、図８は、同がいし連ヨーク４に左右側の工事用ヨークａ、ｂを取り付け、さらに、左右の引き留め金具３に２個のセミ金車７を取り付けて２条の電線Ｃを仮支持している状態の概念図であり、図９は、図７の状態から、さらに、各工事用ヨークａ、ｂの先端突出部１ｃに２本の台付ワイヤ８を介して一方の電線Ｃを支持している状態の一部平面図であり、図１０は、この発明の実施例の工事用ヨークを使用して、吊金工法によって、一方の電線を親線として、他方の電線を垂下させた状態の正面図である。
【００２７】
この場合、上記図５に示すように、作業者Ｄは、がいし連ヨーク４に接続されている既設の２条の電線Ｃの各耐張クランプ５の上に乗って、がいし連ヨーク４と対向した状態（図５において矢印で示す）で作業を行うこととする。
【００２８】
２条のがいし連６が接続された既設のがいし連ヨーク４の右側を上記右側工事用ヨークａの開放した各先端突出部１ｃによって挟み、さらに、上記図６に示すように、上記引き留め金具３を取り付けた各先端縁を当該がいし連ヨーク４の右側から突出させた状態にし、また、当該右側工事用ヨークａの上板１の先端突出部１ｃをがいし連ヨーク４の前端縁から突出させて、当該がいし連ヨーク４にこの右側工事用ヨークａを被せる。
【００２９】
その後、当該がいし連ヨーク４の右側の既設の２個の工事穴４ａと２個のホーン取り付け穴４ａの位置（図５参照）と当該右側工事用ヨークａを形成する上板１と下板２に設けられた各貫通孔１ｂ、２ｂの位置を合わせて、これらにボルトを夫々差し込んで下板２の裏側においてナットを螺着して、がいし連ヨーク４にこの右側工事用ヨークａを固定する。当該がいし連ヨーク４の左側にも同様にして左側工事用ヨークｂを取り付け、さらに、張り替える２条の既設の電線Ｃに吊金車を多数間隔を空けて夫々取り付けておく（図示省略）。
【００３０】
上記図７に示すように、これら右側工事用ヨークａと左側工事用ヨークｂに取り付けた各引き留め金具３の、既設の電線Ｃ側の各貫通孔３ａにセミ金車７を夫々取り付ける。
【００３１】
また、図８に示すように、上記各セミ金車７に巻き付けた各ワイヤ９の一端に夫々設けたカムアロング１０を電線Ｃに取り付けて、上記２条の各電線Ｃを上記各ワイヤ９に設けた張線器１１で夫々引っ張って各電線Ｃを仮支持する。さらに、これらの支持した２条の電線Ｃの各耐張クランプ５を上記がいし連ヨーク４から外して２条の電線Ｃを当該がいし連ヨーク４から切り離す。その後、上記図９に示すように、上記がいし連ヨーク４の前端縁の中央部であって当該端縁から突出した上記右側工事用ヨークａと左側工事用ヨークｂの各先端突出部１ｃの２つの貫通孔１ｄに２本の台付ワイヤ８を夫々取り付け、これら２本の台付ワイヤ８によって、上記切り離した一方の電線Ｃの前端を接続して支持する。この時、一方の電線Ｃは、がいし連ヨーク４の既設の電線Ｃ側の端縁の中央の位置で支持されている。この後、上記各ワイヤ９による２条の電線Ｃの仮支持を夫々解除する。
【００３２】
これにより、図１０に示すように、上記一方の電線Ｃを吊金工法の親線Ｃ１として、当該親線Ｃ１に沿って、他方の電線Ｃ２を多数の各吊金車１２により下方へ垂らす。そして、上記多数の吊金車１２を通して他方の電線Ｃ２を引っ張って当該電線Ｃ２を取り除くと共に当該他方の電線Ｃ２の後端に予め接続された新線（図示省略）を延線する。その後、再度、上記左右側の工事用ヨークａ、ｂの両側に支持したセミ金車７に巻き付けた仮支持用の各ワイヤ９により、上記親線Ｃ１である一方の電線Ｃと延線した新線を夫々仮支持し、当該一方の電線Ｃの前端を上記右側工事用ヨークａと左側工事用ヨークｂの各先端突出部１ｃから伸ばされた２本の台付ワイヤ８から外し、上記新線の前端をこれらの２本の台付ワイヤ８に接続して支持する。この時、新線は、がいし連ヨーク４の既設の電線Ｃ側の端縁の中央の位置で支持されている。この後、上記セミ金車７に巻き付けた仮支持用の各ワイヤ９による一方の電線Ｃと新線の仮支持を夫々解除する。
【００３３】
そして、この新線を新たな親線として、上記と同様に、当該親線に沿って、上記一方の電線Ｃを多数の吊金車１２により下方へ垂らす。そこで、上記一方の電線Ｃを上記多数の吊金車１２を通して引っ張って当該電線Ｃを取り除くと共に当該電線Ｃの後端に接続された新線を延線する。さらに、上記セミ金車７に巻き付けた仮支持用の各ワイヤ９により、上記親線と新たに延線した新線を夫々仮支持し、当該新線の前端に耐張クランプ５を設けて、これをがいし連ヨーク４の貫通孔に取り付けて支持し、上記右側工事用ヨークａと左側工事用ヨークｂの各先端突出部１ｃに取り付けられた２本の台付ワイヤ８に接続された新線の前端を外し、これに耐張クランプ５を取り付けて、さらに、当該新線の前端をがいし連ヨーク４の貫通孔に取り付けて支持する。
【００３４】
その後、上記各引き留め金具３に取り付けられた各セミ金車７の各ワイヤ９による当該各新線の仮支持を夫々解除する。最後に、がいし連ヨーク４に取り付けた右側工事用ヨークａと左側工事用ヨークｂを夫々撤去して作業終了となる。
【００３５】
また、この工事用ヨークＡは、既設のがいし連ヨーク４に取り付ける際、右側工事用ヨークａと左側工事用ヨークｂに、がいし連ヨーク４の既設の各貫通孔４ａと同様の配置の各貫通孔１ｂ、２ｂを設け、これらの各貫通孔４ａ、１ｂ、２ｂを利用して、がいし連ヨーク４に工事用ヨークＡを取り付けるので、簡単に取り付けられ、また、汎用性が高いものである。
【００３６】
なお、上記実施例において、工事用ヨークＡとして右側工事用ヨークａと左側工事用ヨークｂを夫々設けているが、これらは、必ずしも、二つに分割したものを使用する必要はなく、例えば、右側工事用ヨークａと左側工事用ヨークｂの上板１を夫々用意し、これらを一体に設けたものなどを使用するようにしても良い。また、上板１と下板２を相対向させて、左右側の工事用ヨークａ、ｂを形成しているが、必ずしも上板１と下板２の２種類の板体を用いなくても良く、上板１を２枚相対向させて設けて工事用ヨークを形成しても良いし、荷重に耐えられるものであるならば、上板１だけを使用するようにしても良い。
【００３７】
また、引き留め金具３の形状として略横長台形状としているが、引き留め金具３の形状はこれに限るものでは無く、工事用ヨークＡの上部の相対向する先端縁の間に嵌め入れられ、既設の電線Ｃ側に貫通孔３ａを突出させたものであれば良い。また、この工事用ヨークＡを既設のがいし連ヨーク４に取り付ける際、右側工事用ヨークａと左側工事用ヨークｂに、がいし連ヨーク４の既設の各貫通孔４ａと同様の配置の各貫通孔１ｂ、２ｂを設け、これらの各貫通孔４ａ、１ｂ、２ｂを利用して、がいし連ヨーク４に工事用ヨークＡを取り付けているが、がいし連ヨーク４に取り付ける方法はこれに限るものではない。
【図面の簡単な説明】
【００３８】
【図１】この発明の実施例の右側工事用ヨークの斜視図である。
【図２】この発明の実施例の右側工事用ヨークの上板の平面図である。
【図３】この発明の実施例の右側工事用ヨークの下板の平面図である。
【図４】この発明の実施例の工事用ヨークの引き留め金具の平面図である。
【図５】この発明の実施例の工事用ヨークを取り付ける２条の既設の電線及び２条のがいし連を取り付けた状態のがいし連ヨークの平面図である。
【図６】この発明の実施例のがいし連ヨークに左右側の工事用ヨークを取り付けた状態の平面図である。
【図７】この発明の実施例のがいし連ヨークに左右側の工事用ヨークを取り付け、さらに、左右の引き留め金具に２個のセミ金車を取り付けて２条の電線を仮支持している状態の一部平面図である。
【図８】この発明の実施例のがいし連ヨークに左右側の工事用ヨークを取り付け、さらに、左右の引き留め金具に２個のセミ金車を取り付けて２条の電線を仮支持している状態の概念図である。
【図９】この発明の実施例のがいし連ヨークに左右側の工事用ヨークを取り付け、さらに、左右の引き留め金具に２個の金車を取り付けて電線を仮支持し、各工事用ヨークの突出部に２本の台付ワイヤを取り付けて一方の電線を支持している状態の一部平面図である。
【図１０】この発明の実施例の工事用ヨークを使用して、吊金工法によって、一方の電線を親線として、他方の電線を垂下させた状態の正面図である。
【図１１】従来の鉄塔の腕金の前後に２条のがいし連を挟んで２条の電線を張架している状態の斜視図である。
【符号の説明】
【００３９】
Ａ    工事用ヨーク                      Ｃ    電線
ａ    右側工事用ヨーク                  ｂ    左側工事用ヨーク
１    上板                              ２    下板
３    引き留め金具                      ４    がいし連ヨーク
６    がいし連                           ７    セミ金車
９    ワイヤ                           １２    吊金車
【図１】
2008113527.tif 000003
【図２】
2008113527.tif 000004
【図３】
2008113527.tif 000005
【図４】
2008113527.tif 000006
【図５】
2008113527.tif 000007
【図６】
2008113527.tif 000008
【図７】
2008113527.tif 000009
【図８】
2008113527.tif 000010
【図９】
2008113527.tif 000011
【図１０】
2008113527.tif 000012
【図１１】
2008113527.tif 000013